(57)【要約】      （修正有）【課題】自動販売機のポスターディスプレイ装置に装備したポスター固定具について、装着，ポスター支持板との係脱が簡単な操作で行えるようにする。【解決手段】外扉の電照室に配したポスターのディスプレイ装置で、ポスター支持パネル９の下縁を扉枠の受け金に係止し、パネル上縁を電照板押え金２ｂに装着したポスター固定具１２を介して背後から支えるようにしたものにおいて、ポスター固定具は、先端にパネル押え爪部１２ｃが突出し、かつ左右両翼にはガイドピン１２ｄ，および係合爪１２ｆ付きの復帰ばね部１２ｅを形成した樹脂成形部品になり、該ポスター固定具を電照板押え金２ｂに対し前後方向にスライドおよびピッチング可能に装着し、この装着位置で電照板押え金から下方に突き出した押え爪部をポスター支持パネルの上縁に背後から押し当てて該パネルをポスターの表示位置に保持するようにする。【選択図】        図１
2006209709.tif 000002
【特許請求の範囲】
【請求項１】
外扉の電照室に配備したポスターのディスプレイ装置であって、ポスター支持パネルの下縁を扉枠の内側に設けた受け金に係止保持し、パネル上端を電照板押え金に取り付けたポスター固定具を介して背後から支えるようにしたものにおいて、
前記のポスター固定具は、先端にパネル押え爪部が突出し、かつ左右両翼にはガイドピン，および係合爪付き復帰ばね部を形成した樹脂成形部品になり、該ポスター固定具を電照板押え金に対し前後方向にスライドおよびピッチング可能に係止装着し、この装着位置で電照板押え金から下方に突き出した前記押え爪部をポスター支持パネルの上縁に背後から押し当てて該パネルをポスターの表示位置に保持するようにしたことを特徴とする自動販売機の広告ポスターディスプレイ装置。
【請求項２】
請求項１記載の広告ポスターディスプレイ装置において、ポスター固定具のパネル押え爪部が略Ｖ字形の断面形状になり、ポスターの交換時には支持パネルを手動で後方に引き倒し、その過程でパネル上縁が前記爪部を上方に押し退けてポスター固定具との掛止を外すようにしたことを特徴とする自動販売機の広告ポスターディスプレイ装置。
【請求項３】
請求項２記載の広告ポスターディスプレイ装置において、パネル押え爪部のＶ字端面およびその左右両端コーナーをＲ面となしたことを特徴とする自動販売機の広告ポスターディスプレイ装置。
【請求項４】
請求項１記載の広告ポスターディスプレイ装置において、ポスター固定具に把手部，および固定具を引き出し位置で電照板押え金の後縁に係止保持する掛止段部を形成し、ポスターの交換時にはポスター固定具を後方に引き出して電照板押え金に係止し、この引き出し位置でパネル押え爪部を電照板押え金の上面側に後退させてポスター支持パネルとの掛止を外すようにしたことを特徴とする自動販売機の広告ポスターディスプレイ装置。
【発明の詳細な説明】
【技術分野】
【０００１】
本発明は、外扉の電照室に配したポスターの支持パネルを表示位置に保持する固定具を備えたポスターのディスプレイ装置に関する。
【背景技術】
【０００２】
まず、図５に本発明の実施対象となる自動販売機の正面図を示す。図５において１は自動販売機の本体、２は外扉、３は外扉２の前面下部に備えた商品取出口、４は商品見本５を展示するディスプレイ室、６は商品選択ボタン、７はディスプレイ室４の下方に並べて外扉２に画成した広告電照室であり、該広告電照室７には正面に向けてポスター８が次記のようにポスター支持パネルに貼り付けるか，または差し込み式に保持して電照板の背後に表示されている。
また、前記のポスター支持パネルを外扉２の裏面側からの操作で簡単に装着，取り外してポスター８の交換が行えるように、電照室７にポスター固定具を備えた構成が知られており（例えば、特許文献１参照）、次に従来の自動販売機に採用されているポスターディスプレイ装置の構造例を図６〜図８に示す。
【０００３】
まず、図６はポスターディスプレイ装置の構造を表す模式図であり、図において９はポスター８を前面に貼り付けたポスター支持パネル（透明樹脂台板）、１０が支持パネル９を表示位置（直立姿勢）に支持するポスター固定具である。ここで、ポスター固定具１０は扉枠２ａの背面に敷設したＬ字形の電照板押え金２ｂの後端縁にボルト（段付きボルト）１１を介して装着されており、ポスター支持パネル９はその下端を扉枠２ａの背面に設けた凹形の受け金２ｂに嵌合して担持し、パネル上端にはその背後から前記ポスター固定具１０の先端爪部１０ａ押し当てて図示実線の表示位置に係止保持するようにしている。
そして、ポスター８を交換する場合には、外扉の裏面側からポスター固定具１０を図示の鎖線位置に引き上げてポスター支持パネル９との係止を解除した上で、パネル９を手動により鎖線位置に引き倒し、受け金２ｂから抜き出してポスター８の差し替えを行うようにする。
【０００４】
次に、前記ポスター固定具１０についての具体的な従来構造例を図７，図８に示す。図７（ａ），（ｂ）に示すポスター固定具１０では、板金加工品になるチャンネル状フレームの後端中央部に把手１０ｂを、左右両端には上下方向に縦長なガイド溝１０ｃを形成し、このガイド溝１０ｃに通した段付きボルト１１を電照板押え金２ｂの後端面に形成したボルト穴に螺合して上下移動可能に案内支持するようにしている。
上記の構造で、常時はポスター固定具１０が自重で下降（図６の実線位置）し、その先端爪部１０ａを背後からポスター支持パネル９の上端に当てて表示位置に支えている。この状態から前記把手１０ｂに手を掛けて上方に押し上げると、ポスター固定具１０は前記のガイド溝１０ｃに沿って上昇し、先端爪部１０ａがポスター支持パネル９から外れる（図６の鎖線位置）。これにより、ポスター支持パネル９を自由に取り出すことができる。
【０００５】
一方、図８（ａ），（ｂ）は図７の構造一部を改良して操作性を改善したもので、段付きボルト１１を通すガイド溝１０ｄをＬ字形溝とし、ポスター８の交換に際してポスター固定具１０を上方に押し上げた後に、Ｌ字形のガイド溝１０ｄに沿って横方向にスライドさせることにより、把手１０ｂから手を離した状態でも固定具１０を引き上げ位置に掛止保持することができるようにしている。これにより、両手を使ってポスター支持パネル９の出し入れ作業が行える（図７の構造では、片方の手で固定具１０を上方位置に支えておく必要があり、ポスター支持パネルの出し入れ操作を片手で行わなければならない不便さがある）。
【特許文献１】特開平１１−２５３３８号公報
【発明の開示】
【発明が解決しようとする課題】
【０００６】
ところで、図７，図８に示した従来のポスター固定具１０は、操作性，コスト面で次記のような問題点がある。すなわち、
ポスター８の交換に際して、図８で述べた手順によりポスター固定具１０を上方に引き上げた位置に係止保持した状態でも、ポスター支持パネル９の出し入れ作業中に手や物が固定具１０に触れたりすると簡単に元の位置に戻ってしまって支持パネル９の出し入れ作業を邪魔することが多々発生することから、その改善策が要望されている。
また、板金加工品になる従来のポスター固定具１０は、先端爪部１０ａ，把手１０ｂ，ガイド溝１０ｃを形成する加工工数も多く要して部品がコスト高となる。
本発明は上記の点に鑑みなされたものであり、その目的はポスター固定具の装着および操作性を向上し、併せて部品コストの低減化が図れるように改良した自動販売機のポスターディスプレイ装置を提供することにある。
【課題を解決するための手段】
【０００７】
上記目的を達成するために、本発明によれば、ポスター支持パネルの下縁を扉枠の内側に設けた受け金に係止保持し、パネル上端を電照板押え金に取り付けたポスター固定具を介して背後から支えるようにしたポスターディスプレイ装置において、
前記のポスター固定具は、先端にパネル押え爪部が突出し、かつ左右両翼にはガイドピン，および係合爪付き復帰ばね部を形成した樹脂成形部品になり、該ポスター固定具を電照板押え金に対し前後方向にスライドおよびピッチング可能に係止装着し、この装着位置で電照板押え金から下方に突き出した前記押え爪部をポスター支持パネルの上縁に背後から押し当てて該パネルをポスターの表示位置に保持するように構成し（請求項１）、具体的には次記のような態様でポスター支持パネルとの係脱操作を行うものとする。
（１）前記ポスター固定具のパネル押え爪部が略Ｖ字形の断面形状になり、ポスターの交換時には支持パネルを手動で後方に引き倒し、その過程でパネル上縁が前記爪部を上方に押し退けてポスター固定具との掛止を外すようにする（請求項２）。
（２）前項（１）において、パネル押え爪部のＶ字端面およびその左右両端コーナーを面取りしてＲ面となす（請求項３）。
（３）前記ポスター固定具に、ポスター固定具に把手部，および固定具を引き出し位置で電照板押え金の後縁に係止保持する掛止段部を形成し、ポスターの交換時にはポスター固定具を後方に引き出して電照板押え金に係止し、この引き出し位置でパネル押え爪部を電照板押え金の上面側に後退させてポスター支持パネルとの掛止を外すようにする（請求項４）。
【発明の効果】
【０００８】
上記構成によれば、まずポスター固定具が樹脂成形品であって従来の板金加工品に比べて安価に製作できる。また、電照板押え金への組み付けについても、面倒なねじ締め操作を要さず、ガイドピン，復帰ばね部の係合爪を電照板押え金に開口した角穴に嵌め込むだけのワンタッチ操作で簡単に装着できる。
また、上記の利点に加えて請求項２の態様によれば、ポスター固定具を手動で係止，釈放位置にスライド操作することなく、外扉の背後からポスター支持パネルに手を掛けて引き出し，押し込み操作するだけで、パネル上縁がパネル押え爪部を上方に押し退け（ピッチング）てポスター固定具と係脱できるのでポスターの交換作業が簡単に行える。さらに、パネル押え爪部のＶ字端面およびその左右両端コーナーを面取りしてＲ面となす請求項３の態様により、パネル押え爪部とポスター支持パネルとの係脱動作がスムーズに行え、特に爪部の左右両端コーナーをＲ面とすることで、ポスター支持パネルを引き出す際にその片側のみに手を掛けて後方に引っ張った場合でも、Ｒ面が摺動ガイド面の役目を果たしてパネル押え爪との係脱が支障なくスムーズに行えるようになる。
【０００９】
一方、請求項４の態様によれば、ポスター固定具の把手部に手を掛けて手前にスライド操作するだけで、固定具を引き出し位置に掛止してポスター支持パネルを拘束なしに自由に引き出すことができ、その復帰操作もポスター固定具の掛止を外すだけで復帰ばね部のばね力により元の位置に戻るなど、ねじ締め操作を要する従来構造のポスター固定具に比べて操作性が向上する。
【発明を実施するための最良の形態】
【００１０】
以下、本発明の実施の形態を図１〜図４に示す実施例に基づいて説明する。なお、各実施例の図中で図６に対応する部材には同じ符号を付してその説明は省略する。
【実施例１】
【００１１】
まず、本発明の請求項１〜３に対応する実施例の構成および動作を図１，図２で説明する。すなわち、この実施例においては、図６におけるポスター固定具（板金品）１０に替えて、樹脂成形品になる図示構造のポスター固定具１２を電照板押え金２ｂ（ポスター支持パネル９の上縁側に沿って扉枠２の背面側に敷設されている）に装着し、このポスター固定具１２を介してポスター支持パネル９を表示位置で直立姿勢に保持するようにしている。
ここで、ポスター固定具１２は、図２（ａ）〜（ｅ）で示すように後端に把手部１２ａを形成した基板１２ｂの先端には尾鰭状に突き出したパネル押え爪部１２ｃが形成されており、さらに左右両翼には把手部１２ａから前方に突き出して基板１２ｂと高低段差を付けたガイドピン１２ｄ，および左右に向けヘアピン形状に張り出してその先端に係合爪（フック）１２ｆを設けた復帰ばね部（ひげばね）１２ｅが一体に成形されている。
【００１２】
また、前記のパネル押え爪部１２ｃは、図２（ｂ），（ｃ）で示すように断面形状が略Ｖ形を呈してそのＶ字端面がＲ面（円弧面）に面取りされており、さらに図２（ｅ）で示すように押え爪部１２ｃの左右両端コーナーもＲ面取りされている。
一方、ポスター固定具１２を装着する電照板押え金２ｂの板面には、前記のパネル押え爪部１２ｃ，ガイドピン１２ｄ，係合爪１２ｆに対応した角穴２ｂ−１，２ｂ−２，２ｂ−３を開口しておく。
そして、ポスター固定具１２を電照板押え金２ｂに装着するには、外扉の背後から電照板押え金２ｂを挟んで基板１２ｂ，パネル押え爪部１２ｃを上面側に、ガイドピン１２ｄおよび復帰ばね部１２ｅを下面側に合わせて前方に押し込み、図１（ａ）で示すようにガイドピン１２ｄを前後方向に長い角穴（ガイド溝）２ｂ−２に、復帰ばね部１２ｅの係合爪１２ｆを角穴２ｂ−３に係止して図示のように装着する。この装着状態ではパネル押え爪部１２ｃが電照板押え金２ｂの角穴２ｂ−１に嵌入して爪部の先端がポスター支持パネル９の上縁に向けて下方に突出している。
【００１３】
次に、ポスターの交換に際して行うポスター支持パネル９の取り出し操作について説明する。まず、図１（ｂ）はポスター支持パネル９を表示位置に保持している状態を表しており、ポスター固定具１２は復帰ばね部１２ｅのばね力で先端のパネル押え爪部１２ｃが支持パネル９の上端縁を背後から前方に押して起立姿勢に保持している。
この状態で、外扉の背後からポスター支持パネル９の上縁と電照板押え金２ｂとの間の隙間に差し込んだ指先を支持パネル９の上縁に掛けて手前に引っ張ると、図１（ｃ）のようにポスター固定具１２は支持パネル９に押されて後方に若干スライドするとともに、図１（ｄ）で示すように断面Ｖ字形のパネル押え爪部１２ｃが支持パネル９の上縁に乗り上げてポスター固定具１２の全体が後傾姿勢に傾く（ピッチング）。これにより、ポスター支持パネル９がパネル押え爪部１２ｃを擦り抜けて後方に引き出される。なお、ポスター支持パネル９を取り外すと、ポスター固定具１２はばね付勢により元の位置に復帰する。
【００１４】
また、ポスターを差し替えた後に、ポスター支持パネル９を前記と逆な手順で電照室に押し込むと、その操作の途上で支持パネル９の上縁がポスター固定具１２のパネル押え爪部１２ｃを乗り越えて図１（ｂ）の支持位置に掛止保持されるようになる。
この説明から判るように、ポスター固定具１２を手動で後退操作する必要なしに、ポスター支持パネル９に手を掛けて取り外し，嵌め込みをワンタッチで簡単に行うことができる。
【実施例２】
【００１５】
次に本発明の請求項４に対応する実施例の構成，およびパネル支持パネルと９の挿脱手順を図３，図４に基づいて説明する。この実施例では、先記の実施例１で述べたポスター固定具１２の構造を基本としてその一部を変更したもので、基板１２ｂの裏面側には爪状の掛止段部１２ｇを形成し、ポスター固定具１２を引き出し位置で電照板押え金２ｂの後端縁に係止するようにしており、その他の構造は実施例１と同様である。
この構成により、ポスター支持パネル９を表示位置で起立姿勢に保持している状態では、図３（ｂ）で示すようにポスター固定具１２の先端爪部１２ｃが復帰ばね部１２ｅのばね付勢によりポスター支持パネル９の上端を背後から押してパネルを表示位置に保持している。
ここで、ポスターを交換するために、ポスター支持パネル９を取り外す場合には、外扉の裏面側からポスター固定具１２の把手部１２ａに手を掛けて手前に引く。これにより、先端のパネル押え爪部１２ｃは電照板押え金２ｂの角穴２ｂ−１から抜け出し、図３（ｃ）で示すように電照板押え金２ｂの上面側に乗り上げてポスター支持パネル９から離脱するようになる。同時に前記の掛止段部１２ｇが電照板押え金２ｂの後縁に係合してポスター固定具１２が引き出し位置に掛止される。これにより、ポスター固定具１２の拘束を受けることなく、ポスター支持パネル９を後方に傾けて取り外すことができる。なお、ポスター固定具１２を引き出し位置に係止した状態では、復帰ばね部１２ｅの係合爪１２ｆが電照板押え金２ｂの角穴２ｂ−３に掛止されていて復帰ばね部１２ｅが蓄勢される。
【００１６】
また、ポスターを差し替えた後にポスター支持パネル９を表示位置に戻すには、前記と逆な手順により支持パネル９を電照室に差し込んだ上で、ポスター固定具１２の把手部１２ａを上に押し上げる。これにより掛止段部１２ｇと電照押え金２ｂの後縁との係合が外れ、同時にポスター固定具１２は復帰ばね部１２ｅのばね力を受けて前方にスライド移動し、図３（ｂ）の位置に戻ってポスター支持パネル９を掛止保持する。
上記の説明から判るように、この実施例では把手部１２ａの手動操作でポスター固定具１２を電照板押え金２ｂに掛止，釈放することで、パネル押え爪部１２ｃとポスター支持パネル９との間を係脱してパネルの取り外し，嵌め込みを簡単に行うことができる。
【図面の簡単な説明】
【００１７】
【図１】本発明の実施例１に対応する主要部の構造，動作の説明図で、（ａ）はポスター固定具の装着状態を表す斜視図、（ｂ）〜（ｄ）はポスター支持パネルの取り外し動作の経緯を表す側面図
【図２】図１におけるポスター固定具の構成図で、（ａ）は平面図、（ｂ）は側面図、（ｃ），（ｄ）はそれぞれ（ａ）の矢視Ｘ−Ｘ，Ｙ−Ｙ断面図、（ｅ）は（ａ）の正面図
【図３】本発明の実施例２に対応する主要部の構造，動作の説明図で、（ａ）はポスター固定具の装着状態を表す斜視図、（ｂ），（ｃ）はポスター支持パネルの取り外し動作の経緯を表す側面図
【図４】図３におけるポスター固定具の構成図で、（ａ）は平面図、（ｂ）は側面図、（ｃ），（ｄ）はそれぞれ（ａ）の矢視Ｘ−Ｘ，Ｙ−Ｙ断面図
【図５】本発明の実施対象となる自動販売機の正面図
【図６】図５の電照室に採用したポスターディスプレイ装置の従来構造を表す模式断面図
【図７】図５に対応するポスター固定具の従来例の構造図で、（ａ）は装着状態を表す斜視図、（ｂ）は（ａ）の要部拡大図
【図８】図７と異なるポスター固定具の従来例の構造図で、（ａ）は装着状態を表す斜視図、（ｂ）は（ａ）の要部拡大図
【符号の説明】
【００１８】
２    外扉
２ａ  扉枠
２ｂ  電照板押え金
２ｂ−１〜２ｂ−３  角穴
２ｃ  受け金
７    電照室
８    ポスター
９    ポスター支持パネル
１２    ポスター固定具
１２ａ  把手部
１２ｂ  基板
１２ｃ  パネル押え爪部
１２ｄ  ガイドピン
１２ｅ  復帰ばね部
１２ｆ  係合爪
１２ｇ  掛止段部
【図１】
2006209709.tif 000003
【図２】
2006209709.tif 000004
【図３】
2006209709.tif 000005
【図４】
2006209709.tif 000006
【図５】
2006209709.tif 000007
【図６】
2006209709.tif 000008
【図７】
2006209709.tif 000009
【図８】
2006209709.tif 000010